(57)【要約】      （修正有）【課題】全体が小型でかつ広画角でありながら、全ズーム範囲にわたり高い光学性能が容易に得られるズームレンズを得ること。【解決手段】物体側から像側へ順に配置された、負の屈折力の第１レンズ群Ｌ１、正の屈折力の第２レンズ群Ｌ２、１以上のレンズ群を有する中間群Ｌ３，Ｌ４、正の屈折力の最終レンズ群Ｌ５より構成され、ズーミングに際して隣り合うレンズ群の間隔が変化するズームレンズであって、最終レンズ群は負レンズＬｎを有し、負レンズＬｎは中心から周辺部にかけて負の屈折力が強くなる非球面形状のレンズ面を有しており、負レンズＬｎの物体側のレンズ面と像側のレンズ面の曲率半径Ｒｎ１、Ｒｎ２、負レンズＬｎの材料のｄ線に対する屈折率とアッベ数Ｎｄｎ、νｄｎを各々適切に設定すること。【選択図】図１
2018013685.tif 000002
【特許請求の範囲】
【請求項１】
物体側から像側へ順に配置された、負の屈折力の第１レンズ群、正の屈折力の第２レンズ群、１以上のレンズ群を有する中間群、正の屈折力の最終レンズ群より構成され、
ズーミングに際して隣り合うレンズ群の間隔が変化するズームレンズであって、前記最終レンズ群は負レンズＬｎを有し、前記負レンズＬｎは中心から周辺部にかけて負の屈折力が強くなる非球面形状のレンズ面を有しており、前記負レンズＬｎの物体側のレンズ面と像側のレンズ面の曲率半径を各々Ｒｎ１、Ｒｎ２、前記負レンズＬｎの材料のｄ線に対する屈折率とアッベ数を各々Ｎｄｎ、νｄｎとするとき、
−２５．０＜（Ｒｎ１＋Ｒｎ２）／（Ｒｎ２−Ｒｎ１）＜０．０
２０．０＜νｄｎ＜３７．５
１．８４＜Ｎｄｎ＜２．５０
なる条件式を満足することを特徴とするズームレンズ。
【請求項２】
広角端におけるバックフォーカスをＳｗ、広角端における全系の焦点距離をｆｗとするとき、
１．６＜Ｓｗ／ｆｗ＜３．１
なる条件式を満足することを特徴とする請求項１に記載のズームレンズ。
【請求項３】
前記最終レンズ群の光軸上の厚みをＤｒ、広角端における全系の焦点距離をｆｗとするとき、
１．０＜Ｄｒ／ｆｗ＜１．４
なる条件式を満足することを特徴とする請求項１又は２に記載のズームレンズ。
【請求項４】
前記第１レンズ群の焦点距離をｆ１、広角端における全系の焦点距離をｆｗとするとき、
−１．４＜ｆ１／ｆｗ＜−１．０
なる条件式を満足することを特徴とする請求項１乃至３のいずれか１項に記載のズームレンズ。
【請求項５】
第２レンズ群の焦点距離をｆ２、広角端における全系の焦点距離をｆｗとするとき、
２．０＜ｆ２／ｆｗ＜６．５
なる条件式を満足することを特徴とする請求項１乃至４のいずれか１項に記載のズームレンズ。
【請求項６】
前記最終レンズ群の焦点距離をｆｒ、広角端における全系の焦点距離をｆｗとするとき、
２．０＜ｆｒ／ｆｗ＜２．８
なる条件式を満足することを特徴とする請求項１乃至５のいずれか１項に記載のズームレンズ。
【請求項７】
無限遠に合焦しているときの広角端と望遠端における開放Ｆナンバーを各々Ｆｎｏｗ、Ｆｎｏｔとするとき、
２．８＜Ｆｎｏｗ＜３．０
２．８＜Ｆｎｏｔ＜３．０
なる条件式を満足することを特徴とする請求項１乃至６のいずれか１項に記載のズームレンズ。
【請求項８】
前記負レンズＬｎは非球面形状のレンズ面を有し、該非球面形状のレンズ面は負の非球面量を有することを特徴とする請求項１乃至７のいずれか１項に記載のズームレンズ。
【請求項９】
前記ズームレンズは、物体側から像側に順に、負の屈折力の第１レンズ群、正の屈折力の第２レンズ群、正の屈折力の第３レンズ群、負の屈折力の第４レンズ群、正の屈折力の第５レンズ群からなり、
前記中間群は前記第３レンズ群と前記第４レンズ群であり、前記最終レンズ群は前記第５レンズ群であることを特徴とする請求項１乃至８のいずれか１項に記載のズームレンズ。
【請求項１０】
前記ズームレンズは、物体側から像側に順に、負の屈折力の第１レンズ群、正の屈折力の第２レンズ群、負の屈折力の第３レンズ群、正の屈折力の第４レンズ群からなり、前記中間群は前記第３レンズ群であり、前記最終レンズ群は前記第４レンズ群であることを特徴とする請求項1乃至８のいずれか１項に記載のズームレンズ。
【請求項１１】
前記ズームレンズは、物体側から像側に順に、負の屈折力の第１レンズ群、正の屈折力の第２レンズ群、負の屈折力の第３レンズ群、負の屈折力の第４レンズ群、正の屈折力の第５レンズ群からなり、
前記中間群は前記第３レンズ群と前記第４レンズ群であり、前記最終レンズ群は前記第５レンズ群であることを特徴とする請求項1乃至８のいずれか１項に記載のズームレンズ。
【請求項１２】
フォーカシングに際して前記第２レンズ群が移動することを特徴とする請求項１乃至１１のいずれか１項に記載のズームレンズ。
【請求項１３】
請求項１乃至１２のいずれか１項に記載のズームレンズと、該ズームレンズによって形成される像を受光する撮像素子とを有することを特徴とする撮像装置。
【発明の詳細な説明】
【技術分野】
【０００１】
本発明は、ズームレンズ及びそれを有する撮像装置に関するものであり、例えば一眼レフカメラ・デジタルスチルカメラ・デジタルビデオカメラ、監視カメラ等に用いられる撮像光学系として好適なものである。
【背景技術】
【０００２】
近年、撮像装置に用いられる撮像光学系には、より広範囲な撮影条件に対応するために、広画角で、全ズーム範囲にわたり高い光学性能を有した小型のズームレンズであることが望まれている。
【０００３】
例えば、撮像全画角が８０度以上の広画角域からズーミングができ、Ｆナンバーが全ズーム領域で２．８程度と明るい、大口径で広画角のズームレンズが要望されている。更に、レンズ全長が短く全体が小型で、高い光学性能を有すること等が求められている。全系が小型で広画角化が容易なズームレンズとして、物体側に負の屈折力のレンズ群が位置するネガティブリード型のズームレンズが知られている（特許文献１）。
【０００４】
特許文献１では、物体側から像側へ順に、負、正、負、正の屈折力のレンズ群からなり、隣り合うレンズ群の間隔を変化させてズーミングを行う４群ズームレンズを開示している。この他、特許文献１では物体側から像側へ順に、負、正、正、負、正の屈折力の第１レンズ群乃至第５レンズ群よりなり、各レンズ群を移動させてズーミングを行う５群ズームレンズを開示している。特許文献１では非球面レンズと異常分散性を持った光学材料を使用することで、歪曲と色収差の発生を低減させたズームレンズを開示している。
【先行技術文献】
【特許文献】
【０００５】
【特許文献１】特開２０１５−２０６９７６号公報
【発明の概要】
【発明が解決しようとする課題】
【０００６】
負の屈折力のレンズ群が先行するネガティブリード型のズームレンズは、広画角化が比較的容易であり、又長いバックフォーカスが容易に得られるという特徴がある。しかしながらネガティブリード型のズームレンズは開口絞りに対し、レンズ構成が非対称となる。このため、諸収差の補正が難しく、全ズーム範囲にわたり高い光学性能を得ることが大変難しい。
【０００７】
特に全系の小型化を図るほど、諸収差が多く発生して光学性能が低下してくる。例えば、全系の小型化を図ると、よりレトロフォーカス型のズームレンズとなり、諸収差のうち、特に歪曲と倍率色収差が多く発生する。さらに、ズーミングによる収差変動が多くなり、全ズーム領域に渡って収差を良好に補正することが困難となってくる。大口径比、広画角のズームレンズにおいて、諸収差を全ズーム範囲で良好に補正するためには、例えば非球面レンズを用いたり、異常分散性を持った光学材料を、より効果的に配置し、色収差を良好に補正することが必要となる。
【０００８】
レトロフォーカス型のズームレンズにおいて、色収差を全ズーム範囲にわたり良好に補正し高い光学性能を得るには、各レンズ群の屈折力やレンズ構成、特に最も像側に配置されるレンズ群の屈折力やレンズ構成等を適切に設定することが重要になってくる。これらの設定が適切でないと全系が小型で広画角で全ズーム範囲にわたり高い光学性能を有するズームレンズを得るのが困難になってくる。
【０００９】
本発明は、全体が小型でかつ広画角でありながら、全ズーム範囲にわたり高い光学性能が容易に得られるズームレンズの提供を目的とする。
【課題を解決するための手段】
【００１０】
本発明のズームレンズは、物体側から像側へ順に配置された、負の屈折力の第１レンズ群、正の屈折力の第２レンズ群、１以上のレンズ群を有する中間群、正の屈折力の最終レンズ群より構成され、
ズーミングに際して隣り合うレンズ群の間隔が変化するズームレンズであって、前記最終レンズ群は負レンズＬｎを有し、前記負レンズＬｎは中心から周辺部にかけて負の屈折力が強くなる非球面形状のレンズ面を有しており、前記負レンズＬｎの物体側のレンズ面と像側のレンズ面の曲率半径を各々Ｒｎ１、Ｒｎ２、前記負レンズＬｎの材料のｄ線に対する屈折率とアッベ数を各々Ｎｄｎ、νｄｎとするとき、
−２５．０＜（Ｒｎ１＋Ｒｎ２）／（Ｒｎ２−Ｒｎ１）＜０．０
２０．０＜νｄｎ＜３７．５
１．８６＜Ｎｄｎ＜２．５０
なる条件式を満足することを特徴としている。
【発明の効果】
【００１１】
本発明によれば、全体が小型でかつ広画角でありながら、全ズーム範囲にわたり高い光学性能が容易に得られるズームレンズが得られる。
【図面の簡単な説明】
【００１２】
【図１】実施例１のズームレンズの広角端におけるレンズ断面図
【図２】（Ａ），（Ｂ）  実施例１のズームレンズの広角端と望遠端における縦収差図
【図３】実施例２のズームレンズの広角端におけるレンズ断面図
【図４】（Ａ），（Ｂ）  実施例２のズームレンズの広角端と望遠端における縦収差図
【図５】実施例３のズームレンズの広角端におけるレンズ断面図
【図６】（Ａ），（Ｂ）  実施例３のズームレンズの広角端と望遠端における縦収差図
【図７】実施例４のズームレンズの広角端におけるレンズ断面図
【図８】（Ａ），（Ｂ）  実施例４のズームレンズの広角端と望遠端における縦収差図
【図９】実施例５のズームレンズの広角端におけるレンズ断面図
【図１０】（Ａ），（Ｂ）  実施例５のズームレンズの広角端と望遠端における縦収差図
【図１１】実施例６のズームレンズの広角端におけるレンズ断面図
【図１２】（Ａ），（Ｂ）  実施例６のズームレンズの広角端と望遠端における縦収差図
【図１３】実施例７のズームレンズの広角端におけるレンズ断面図
【図１４】（Ａ），（Ｂ）  実施例７のズームレンズの広角端と望遠端における縦収差図
【図１５】実施例８のズームレンズの広角端におけるレンズ断面図
【図１６】（Ａ），（Ｂ）  実施例８のズームレンズの広角端と望遠端における縦収差図
【図１７】実施例９のズームレンズの広角端におけるレンズ断面図
【図１８】（Ａ），（Ｂ）  実施例９のズームレンズの広角端と望遠端における縦収差図
【図１９】本発明における非球面量の定義の説明図
【図２０】本発明の撮像装置の要部概略図
【発明を実施するための形態】
【００１３】
以下に、本発明の好ましい実施の形態を、添付の図面に基づいて詳細に説明する。本発明のズームレンズは、物体側から像側へ順に配置された、負の屈折力の第１レンズ群、正の屈折力の第２レンズ群、１以上のレンズ群を有する中間群、正の屈折力の最終レンズ群より構成されている。ズーミングに際して隣り合うレンズ群の間隔が変化する。
【００１４】
図１、図３、図５、図７、図９、図１１、図１３、図１５、図１７は各々本発明の実施例１乃至９の広角端におけるレンズ断面図である。図２、図４、図６、図８、図１０、図１２、図１４、図１６、図１８は各々本発明の実施例１乃至９の縦収差図である。収差図において（Ａ）、（Ｂ）は各々無限遠にフォーカスしているときの広角端（短焦点距離端）と望遠端（長焦点距離端）における縦収差図である。
【００１５】
実施例１、２はズーム比２．０６、全ズーム範囲のＦナンバー２．９１のズームレンズである。実施例３はズーム比１．８７、全ズーム範囲のＦナンバー２．９１のズームレンズである。実施例４はズーム比１．８５、全ズーム範囲のＦナンバー２．９１のズームレンズである。実施例５はズーム比２．０６、全ズーム範囲のＦナンバー２．９１のズームレンズである。実施例６はズーム比１．６９、全ズーム範囲のＦナンバー２．９１のズームレンズである。
【００１６】
実施例７はズーム比１．６４、全ズーム範囲のＦナンバー２．９１のズームレンズである。実施例８はズーム比１．６３、全ズーム範囲のＦナンバー２．９１のズームレンズである。実施例９はズーム比１．９０、全ズーム範囲のＦナンバー２．９１のズームレンズである。
【００１７】
図１９は本発明に係る非球面レンズの非球面量の説明図である。図２０は、本発明のズームレンズを備えるカメラ（撮像装置）の要部概略図である。各実施例のズームレンズはビデオカメラ、デジタルカメラ、監視カメラ、そして銀塩フィルムカメラなどの撮像装置に用いられる撮像光学系である。
【００１８】
レンズ断面図において、左方が物体側（前方）で、右方が像側（後方）である。また、レンズ断面図において、ＬＯはズームレンズである。またｉを物体側からのレンズ群の順番とすると、Ｌｉは第ｉレンズ群を示す。ＬＭは１以上のレンズ群を有する中間群である。ＬＲは正の屈折力の最終レンズ群である。Ｌｎは最終レンズ群ＬＲに含まれる負レンズである。ＳＰは開口絞りである。ＳＳＰ１、ＳＳＰ２は各々ズーミングに応じて開口径が変化する補助絞りである。
【００１９】
ＩＰは像面である。像面ＩＰは、デジタルカメラやビデオカメラ、監視カメラの撮影光学系としてズームレンズを使用する際には、ＣＣＤセンサやＣＭＯＳセンサなどの撮像素子（光電変換素子）の撮像面に相当する。また、銀塩フィルムカメラの撮影光学系としてズームレンズを使用する際には、フィルム面に相当する。ＯＡは光軸である。尚、以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。
【００２０】
focusに関する矢印は無限遠から近距離へのフォーカシングに際してのレンズ群の移動方向を示す。球面収差図において、実線のｄはｄ線（５８７．６ｎｍ）、破線のｇはｇ線（４３５．８ｎｍ）を表している。また、非点収差を示す図において、実線のＳはｄ線のサジタル方向、破線のＭはｄ線のメリディオナル方向を表している。また、歪曲を示す図は、ｄ線における歪曲を表している。ＦｎｏはＦナンバー、ωは撮影画角の半画角（度）である。
【００２１】
各実施例のズームレンズは、物体側から像側へ順に配置された、負の屈折力の第１レンズ群Ｌ１、正の屈折力の第２レンズ群Ｌ２、１以上のレンズ群を有する中間群ＬＭ、正の屈折力の最終レンズ群ＬＲより構成されている。そしてズーミングに際して隣り合うレンズ群の間隔が変化する。
【００２２】
最終レンズ群ＬＲは負レンズＬｎを有し、負レンズＬｎは中心から周辺部にかけて負の屈折力が強くなる非球面形状のレンズ面を有する。即ち負の非球面量を有する。負レンズＬｎの物体側のレンズ面と像側のレンズ面の曲率半径を各々Ｒｎ１、Ｒｎ２とする。負レンズＬｎの材料のｄ線に対する屈折率とアッベ数を各々Ｎｄｎ、νｄｎとする。このとき、
−２５．０＜（Ｒｎ１＋Ｒｎ２）／（Ｒｎ２−Ｒｎ１）＜０．０  ・・・（１）
２０．０＜νｄｎ＜３７．５    ・・・（２）
１．８４＜Ｎｄｎ＜２．５０              ・・・（３）
なる条件式を満足する。
【００２３】
ここで、材料のアッベ数νｄは、材料のｄ線における屈折率Ｎｄ、Ｆ線（波長４８６．１ｎｍ）における屈折率Ｎｆ、Ｃ線（波長６５６．３ｎｍ）における屈折率Ｎｃを用いて以下の式で定義される。
νｄ＝（Ｎｄ−１）／（Ｎｆ−Ｎｃ）
【００２４】
条件式（１）は負レンズＬｎのレンズ形状を規定する。条件式（１）の上限値を超えると物体側のレンズ面Ｒｎ１の曲率が大きくなり、第５レンズ群Ｌ５の主点位置が物体側に移動してしまうため、長いバックフォーカスを確保するのが困難となる。条件式（１）の下限値を超えると各レンズ面の屈折力が小さくなり、色収差が補正不足となる。
【００２５】
条件式（２）は負レンズＬｎの材料のアッベ数を規定する。条件式（２）の上限を超えて低分散となると、色収差が補正不足となる。条件式（２）の下限を超えて高分散となると、色収差が過補正となりよくない。
【００２６】
条件式（３）は負レンズＬｎの材料の屈折率を規定する。条件式（３）の下限を超えて屈折率が低くなると、負レンズＬｎに必要な負の屈折力を与えるために、レンズ面の曲率を大きくする必要が生じ、諸収差が大きく発生してくる。条件式（３）の上限を超えて屈折率が高くなると、分散が大きくなりやすく、結果として色収差が過上に補正されることになるため好ましくない。
【００２７】
負レンズＬｎに形成する非球面形状は、研削非球面、ガラスモールド非球面、プラスティックモールド非球面のいずれを使用しても良い。このとき、モールド非球面を使用すると硝子材料に限りがあるため、非球面は研削非球面であることが好ましい。
【００２８】
より好ましくは、条件式（１）乃至（３）の数値範囲を次の如く設定することが望ましい。
−２．０＜（Ｒｎ１＋Ｒｎ２）／（Ｒｎ２−Ｒｎ１）＜−１．４・・・（１ａ）
２５．０＜νｄｎ＜３６．０                ・・・（２ａ）
１．９０＜Ｎｄｎ＜２．０１０              ・・・（３ａ）
【００２９】
本発明のズームレンズにおいて、更に好ましくは次の条件式のうち１つ以上を満足するのが良い。広角端におけるバックフォーカスをＳｗ、広角端における全系の焦点距離をｆｗとする。最終レンズ群ＬＲの光軸上の厚み（物体側のレンズ面から像側のレンズ面までの長さ）をＤｒとする。第１レンズ群Ｌ１の焦点距離をｆ１とする。第２レンズ群Ｌ２の焦点距離をｆ２とする。最終レンズ群ＬＲの焦点距離をｆｒとする。
【００３０】
無限遠に合焦しているときの広角端と望遠端における開放Ｆナンバーを各々Ｆｎｏｗ、Ｆｎｏｔとする。負レンズＬｎの非球面形状の近軸曲率半径で描かれる面と非球面の乖離量（光軸方向）の有効径内における最大値をδＸとする。このとき次の条件式のうち１つ以上を満足するのが良い。
【００３１】
１．６＜Ｓｗ／ｆｗ＜３．１      ・・・（４）
１．０＜Ｄｒ／ｆｗ＜１．４      ・・・（５）
−１．５＜ｆ１／ｆｗ＜−１．０  ・・・（６）
２．０＜ｆ２／ｆｗ＜６．５      ・・・（７）
２．０＜ｆｒ／ｆｗ＜２．８      ・・・（８）
２．８＜Ｆｎｏｗ＜３．０        ・・・（９）
２．８＜Ｆｎｏｔ＜３．０        ・・・（１０）
δＸ＜０                        ・・・（１１）
【００３２】
次に前述の各条件式の技術的意味について説明する。条件式（４）は広角端におけるバックフォーカスと広角端における焦点距離の比を規定する。条件式（４）の上限を超えてバックフォーカスが長くなると、レンズ全長が大型化してくる。条件式（４）の下限を超えてバックフォーカスが短くなると、各部品を配置する空間を確保することが困難となる。
【００３３】
条件式（５）は最終レンズ群ＬＲの光軸上の厚み（物体側のレンズ面から像側のレンズ面までの長さ）と広角端における全系の焦点距離の比を規定する。条件式（５）の上限を超えて光軸上の厚みが長くなると、レンズ全長が増大してくる。条件式（５）の下限を超えて光軸上の厚みが短くなると、最終レンズ群ＬＲが十分な正の屈折力のレンズ群としての働きが困難となり、諸収差の補正が困難となる。
【００３４】
条件式（６）は第１レンズ群Ｌ１の焦点距離と広角端における全系の焦点距離の比を規定する。条件式（６）の上限を超えて第１レンズ群Ｌ１の負の屈折力が大きくなると（負の屈折力の絶対値が大きくなると）、諸収差の補正が困難となる。条件式（６）の下限を超えて第１レンズ群Ｌ１の負の屈折力が小さくなると（負の屈折力の絶対値が小さくなると）、レトロフォーカスタイプの効果を十分発揮できなくなるため、レンズ全長が増大してくる。
【００３５】
条件式（７）は第２レンズ群Ｌ２の焦点距離と広角端における全系の焦点距離の比を規定する。条件式（７）の上限を超えて第２レンズ群Ｌ２の正の屈折力が小さくなると、第１レンズ群Ｌ１で発散した光線を収斂させる力が小さくなり、レンズ径が大型化してくる。条件式（７）の下限を超えて第２レンズ群Ｌ２の正の屈折力が大きくなると、諸収差の補正が困難となる。
【００３６】
条件式（８）は最終レンズ群ＬＲの焦点距離と広角端における全系の焦点距離の比を規定する。条件式（８）の上限を超えて最終レンズ群ＬＲの正の屈折力が小さくなると、第１レンズ群Ｌ１で発散した光線を収斂させる力が小さくなり、レンズ径が大型化してくる。条件式（８）の下限を超えて最終レンズ群ＬＲの正の屈折力が大きくなると、諸収差の補正が困難となる。
【００３７】
条件式（９）は広角端におけるＦナンバーに関し、条件式（１０）は望遠端におけるＦナンバーに関する。広角端及び望遠端において、条件式（９）、（１０）の範囲を満足することで、明るいズームレンズを得ている。
【００３８】
条件式（１１）は非球面形状のレンズ面を有する負レンズＬｎの非球面量を規定する。乖離量δＸは、図１９に示すように、非球面Ｒａと近軸曲率半径で描かれる球面Ｒｋの乖離量（光軸方向）の最大値を表わしている。非球面Ｒａの球面Ｒｋからの乖離方向が、球面Ｒｋに対して媒質を盛る方向を負の非球面量、媒質を削る方向を正の非球面量と定義する。例えば、図１９に示す非球面Ｒａは、負の乖離量を有する。
【００３９】
条件式（１１）の上限を超えると、レンズ周辺部の負の屈折力が小さくなり、倍率色収差が補正不足となる。
【００４０】
更に好ましくは条件式（４）乃至（１１）の数値範囲を次の如く設定するのが良い。
１．６２＜Ｓｗ／ｆｗ＜３．０８      ・・・（４ａ）
１．００＜Ｄｒ／ｆｗ＜１．３８      ・・・（５ａ）
−１．４５＜ｆ１／ｆｗ＜−１．１０  ・・・（６ａ）
２．２＜ｆ２／ｆｗ＜６．４          ・・・（７ａ）
２．１０＜ｆｒ／ｆｗ＜２．７５      ・・・（８ａ）
２．８５＜Ｆｎｏｗ＜２．９５        ・・・（９ａ）
２．８５＜Ｆｎｏｔ＜２．９５        ・・・（１０ａ）
δＸ＜−０．０５                    ・・・（１１ａ）
【００４１】
次に、各実施例のレンズ構成の特徴について説明する。実施例１のズームレンズＬ０は、物体側より像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５から構成されている。中間群ＬＭは第３レンズ群Ｌ３と第４レンズ群Ｌ４である。最終レンズ群ＬＲは第５レンズ群Ｌ５である。第５レンズ群Ｌ５は負レンズＬｎを有し、負レンズＬｎは中心から周辺部にかけて負の屈折力が強くなる非球面形状のレンズ面を有している。
【００４２】
実施例１のズームレンズは条件式（１）乃至（３）を満足し、全系が小型で良好なる光学性能を得ている。フォーカシングは第２レンズ群Ｌ２で行っている。
【００４３】
次に、実施例２のズームレンズは、物体側より像側へ順に配置された、負の屈折力の第１レンズ群Ｌ１、正の屈折力の第２レンズ群Ｌ２、負の屈折力の第３レンズ群Ｌ３、正の屈折力の第４レンズ群Ｌ４から構成されている。中間群ＬＭは第３レンズ群Ｌ３である。最終レンズ群ＬＲは第４レンズ群Ｌ４である。第４レンズ群Ｌ４は負レンズＬｎを有し、負レンズＬｎは中心から周辺部にかけて負の屈折力が強くなる形状の非球面を有している。
【００４４】
負レンズＬｎは条件式（１）乃至（３）を満足する形状及び硝材を用いている。実施例２のズームレンズも条件式（１）乃至（３）を満足させることで、小型で良好な光学性能のズームレンズを得ている。実施例２においてフォーカシングは第２レンズ群Ｌ２の一部の部分群で行っている。
【００４５】
次に、実施例３のズームレンズは、物体側より像側へ順に配置された、負の屈折力の第１レンズ群Ｌ１、正の屈折力の第２レンズ群Ｌ２、負の屈折力の第３レンズ群Ｌ３、負の屈折力の第４レンズ群Ｌ４、正の屈折力の第５レンズ群Ｌ５から構成されている。中間群ＬＭは第３レンズ群Ｌ３と第４レンズ群Ｌ４である。最終レンズ群ＬＲは第５レンズ群Ｌ５である。第５レンズ群Ｌ５は負レンズＬｎを有し、負レンズＬｎは中心から周辺部にかけて負の屈折力が強くなる形状の非球面を有している。負レンズＬｎは条件式（１）乃至（３）を満足する形状及び硝材を用いている。
【００４６】
実施例３のズームレンズも条件式（１）乃至（１１）を満足させることで、小型で良好な光学性能のズームレンズを得ている。フォーカシングは第２レンズ群Ｌ２で行っている。
【００４７】
次に実施例４乃至９のズームレンズは、物体側より像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５から構成されている。中間群ＬＭは第３レンズ群Ｌ３と第４レンズ群Ｌ４である。最終レンズ群ＬＲは第５レンズ群Ｌ５である。第５レンズ群Ｌ５は負レンズＬｎを有し、負レンズＬｎは中心から周辺部にかけて負の屈折力が強くなる形状の非球面を有している。負レンズＬｎは条件式（１）乃至（３）を満足する形状及び硝材を用いている。
【００４８】
実施例４乃至９のズームレンズも条件式（１）乃至（１１）を満足させることで、小型で良好な光学性能のズームレンズを得ている。実施例４、５、７、８においてフォーカシングは第２レンズ群Ｌ２で行っている。実施例６においてフォーカシングは第２レンズ群Ｌ２の一部の部分群で行っている。実施例９においてフォーカシングは第１レンズ群Ｌ１で行っている。
【００４９】
以上のように、各実施例によれば、色収差を良好に補正した小型でＦナンバーの明るい広画角ズームレンズを提供することができる。
【００５０】
次に実施例１乃至９に示したズームレンズを撮像装置に適用した実施例を、図２０を用いて説明する。
【００５１】
本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００５２】
図２０は一眼レフカメラの要部概略図である。図２０において１０は実施例１乃至９のズームレンズ１を有する撮像光学系である。ズームレンズ１は保持部材である鏡筒２に保持されている。２０はカメラ本体であり、撮像光学系１０からの光束を上方に反射するクイックリターンミラー３、撮像光学系１０の像形成装置に配置された焦点板４より構成されている。更に焦点板４に形成された逆像を正立像に変換するペンタダハプリズム５、その正立像を観察するための接眼レンズ６などによって構成されている。
【００５３】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮像光学系１０によって像が形成される。実施例１乃至９にて説明した利益は本実施例に開示したような撮像装置において効果的に享受される。撮像装置としてクイックリターンミラー３のないミラーレスの一眼レフカメラにも同様に適用できる。
【００５４】
次に本発明の各実施例の数値データを示す。各数値データにおいてｉは物体側からの面の順序を示し、ｒｉはレンズ面の曲率半径、ｄｉは第ｉ面と第ｉ＋１面との間のレンズ肉厚及び空気間隔、ｎｄｉ、νｄｉはそれぞれｄ線に対する材料の屈折率、アッベ数を示す。ＢＦはバックフォーカスであり、最終レンズ面から像面までの距離で示している。レンズ全長は第１レンズ面から最終レンズ面までの距離にバックフォーカスを加えた値である。
【００５５】
非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２、Ａ１４、Ａ１６を各々非球面係数としたとき、
【００５６】
【数１】
2018013685.tif 000003
【００５７】
なる式で表している。また［ｅ＋Ｘ］は［×１０＋ｘ］を意味し、［ｅ−Ｘ］は［×１０＋ｘ］を意味している。非球面は面番号の後に＊を付加して示す。また、各光学面の間隔dが（可変）となっている部分は、ズーミングに際して変化するものであり、別表に焦点距離に応じた面間隔を記している。各条件式と数値データの関係を表１に示す。
【００５８】
［数値データ１］
単位 mm
面データ
面番号       r        d      nd         νd       有効径
1*         ∞       2.80   1.76385    48.5       55.22
2*        19.710   10.06                         41.37
3*         ∞       2.50   1.85135    40.1       39.75
4*        88.425    8.02                         33.18
5        -36.469    1.40   1.59282    68.6       32.90
6        175.507    0.15                         34.08
7         72.176    5.58   1.90366    31.3       34.70
8        -95.327  (可変)                         34.66
9          ∞       1.41                         (可変)
10         99.317    2.66   1.80610    33.3       28.75
11       -213.620    0.15                         28.93
12         51.098    1.25   1.84666    23.8       29.43
13         23.542    6.87   1.57501    41.5       28.71
14        261.531  (可変)                         28.83
15         61.498    1.25   1.84666    23.8       29.48
16         38.482    7.24   1.51633    64.1       29.13
17        -53.624  (可変)                         29.12
18(絞り)    ∞       2.97                         24.83
19        -55.358    1.00   1.91082    35.3       24.32
20         86.924    1.04                         24.50
21         42.754    6.56   1.80810    22.8       25.29
22        -32.152    1.10   1.91082    35.3       25.13
23         91.214    3.03                         25.01
24          ∞     (可変)                         (可変)
25         34.148   10.35   1.49700    81.5       25.89
26        -20.776    1.20   1.83481    42.7       25.53
27        -28.692    0.15                         26.62
28*       116.832    1.00   1.90366    31.3       26.70
29         26.396    6.61   1.49700    81.5       26.70
30       -130.257  (可変)                         27.47
像面        ∞   
【００５９】
非球面データ
第1面
K  = 0.00000e+000  A 4= 1.16240e-005  A 6=-1.43464e-008 
A 8= 1.53911e-011  A10=-1.16093e-014  A12= 2.35255e-017 
A14=-3.41512e-020  A16= 1.86334e-023  
第2面
K  =-1.28966e+000  A 4=-3.76697e-006  A 6= 4.56307e-010 
A 8= 2.74463e-011  A10=-7.02319e-013  A12= 1.59446e-015 
A14= 6.04845e-020  A16=-1.73466e-021  
第3面
K  = 0.00000e+000  A 4=-3.64999e-005  A 6= 1.12188e-007 
A 8=-1.13740e-010  A10= 2.82141e-014  A12= 2.48495e-016 
A14=-1.09572e-018  A16= 1.18199e-021  
第4面
K  = 8.77138e+000  A 4=-1.55214e-005  A 6= 1.36095e-007 
A 8=-5.52082e-011  A10= 4.85385e-014  A12= 3.55622e-016 
A14= 2.96869e-018  A16=-1.20548e-020  
第28面
K  = 0.00000e+000  A 4=-9.11671e-006  A 6= 1.48788e-008 
A 8=-3.28894e-010  A10= 2.34614e-012  A12=-8.13846e-015 
A14= 6.92483e-018  A16= 1.77415e-020  
【００６０】
各種データ
ズーム比     2.06 
広角     中間     望遠
焦点距離      16.48    24.01    33.95  
Fナンバー      2.91     2.91     2.91  
半画角（度）  52.70    42.02    32.51  
像高          21.64    21.64    21.64  
レンズ全長   169.81   164.72   166.09  
BF            38.21    48.01    62.63  
d 8           28.49    11.23     0.84  
d14            4.84     9.40     4.91  
d17            2.20     7.34    11.77  
d24            9.71     2.38    -0.42  
d30           38.21    48.01    62.63  
ea9           23.11    25.84    27.85
ea24          16.39    19.77    25.46
入射瞳位置    19.19    19.68    19.57  
射出瞳位置   -65.13   -37.90   -31.02  
前側主点位置  33.04    36.98    41.22  
後側主点位置  21.73    24.00    28.68  
ズームレンズ群データ
群  始面    焦点距離  レンズ構成長  前側主点位置  後側主点位置
1    1     -22.34        30.51         1.56        -25.50
2    9      66.39        12.34         0.85         -7.11
3   15      68.68         8.49         3.22         -2.37
4   18     -46.49        15.71         5.24         -6.29
5   25      44.41        19.31         4.04         -9.23
【００６１】
［数値データ２］
単位 mm
面データ
面番号       r        d      nd         νd       有効径
1*         ∞       2.80   1.76385    48.5       55.24
2*        19.742   10.06                         41.38
3*         ∞       2.50   1.85135    40.1       39.83
4*        86.712    8.02                         33.20
5        -36.469    1.40   1.59282    68.6       32.95
6        175.507    0.15                         34.18
7         72.176    5.58   1.90366    31.3       34.83
8        -95.327  (可変)                         34.80
9          ∞       1.41                         (可変)
10         99.317    2.66   1.80610    33.3       28.98
11       -213.620    0.15                         29.16
12         51.098    1.25   1.84666    23.8       29.66
13         23.542    6.87   1.57501    41.5       28.93
14        261.531    4.99                         29.04
15         61.498    1.25   1.84666    23.8       29.70
16         38.482    7.24   1.51633    64.1       29.35
17        -53.624  (可変)                         29.34
18(絞り)    ∞       2.97                         24.90
19        -55.358    1.00   1.91082    35.3       24.39
20         86.924    1.04                         24.57
21         42.754    6.56   1.80810    22.8       25.36
22        -32.152    1.10   1.91082    35.3       25.20
23         91.214    3.03                         25.07
24          ∞     (可変)                         (可変)
25         33.849   10.35   1.49700    81.5       25.88
26        -20.653    1.20   1.83481    42.7       25.40
27        -28.408    0.15                         26.39
28*       119.420    1.00   1.90366    31.3       26.46
29         26.333    6.61   1.49700    81.5       26.47
30       -137.181  (可変)                         27.27
像面        ∞   
【００６２】
非球面データ
第1面
K  = 0.00000e+000  A 4= 1.15641e-005  A 6=-1.41414e-008 
A 8= 1.51620e-011  A10=-1.13470e-014  A12= 2.33617e-017 
A14=-3.39638e-020  A16= 1.86303e-023  
第2面
K  =-1.29490e+000  A 4=-3.88821e-006  A 6= 2.34013e-010 
A 8= 2.85605e-011  A10=-7.05997e-013  A12= 1.59785e-015 
A14= 6.60440e-020  A16=-1.71470e-021  
第3面
K  = 0.00000e+000  A 4=-3.68434e-005  A 6= 1.12083e-007 
A 8=-1.13593e-010  A10= 2.85222e-014  A12= 2.56800e-016 
A14=-1.09647e-018  A16= 1.16150e-021  
第4面
K  = 8.45749e+000  A 4=-1.56327e-005  A 6= 1.35888e-007 
A 8=-5.12171e-011  A10= 4.72240e-014  A12= 3.13918e-016 
A14= 3.03492e-018  A16=-1.20375e-020  
第28面
K  = 0.00000e+000  A 4=-9.42934e-006  A 6= 1.42039e-008 
A 8=-3.29725e-010  A10= 2.34314e-012  A12=-8.20544e-015 
A14= 7.93783e-018  A16= 1.49147e-020  
【００６３】
各種データ
ズーム比     2.06 
広角     中間     望遠
焦点距離      16.48    24.01    33.95  
Fナンバー      2.91     2.91     2.91  
半画角（度）  52.70    42.02    32.51  
像高          21.64    21.64    21.64  
レンズ全長   169.95   162.22   166.16  
BF            37.98    48.11    62.35  
d 8           28.71    11.21     1.16  
d17            2.44     7.46    12.05  
d24            9.47     4.11    -0.75  
d30           37.98    48.11    62.35  
ea9           23.46    23.33    28.05
ea24          16.37    19.65    25.51
入射瞳位置    19.22    19.12    19.64  
射出瞳位置   -63.40   -42.62   -30.15  
前側主点位置  33.02    36.77    41.13  
後側主点位置  21.50    24.10    28.40  
ズームレンズ群データ
群  始面    焦点距離  レンズ構成長  前側主点位置  後側主点位置
1    1     -22.24        30.51         1.61        -25.43
2    9      38.08        25.82         9.35        -11.15
3   18     -46.49        15.71         5.24         -6.29
4   25      44.49        19.31         3.94         -9.32
【００６４】
［数値データ３］
単位 mm
面データ
面番号       r        d      nd         νd       有効径
1*         ∞       2.80   1.76385    48.5       56.85
2*        19.731    9.73                         42.75
3*         ∞       2.50   1.85135    40.1       40.65
4*        84.607    7.75                         33.81
5        -36.446    1.40   1.59282    68.6       33.75
6        133.343    0.15                         35.36
7         69.130    6.27   1.90366    31.3       36.14
8        -78.143  (可変)                         36.17
9          ∞       1.41                         (可変)
10         76.811    4.69   1.80610    33.3       28.24
11       2968.477    0.15                         27.55
12         44.136    1.25   1.84666    23.8       26.75
13         22.839   10.41   1.57501    41.5       26.06
14       -176.949  (可変)                         26.11
15        249.392    1.25   1.84666    23.8       25.71
16         51.108    7.24   1.51633    64.1       25.48
17       -204.647  (可変)                         25.51
18(絞り)    ∞       2.97                         24.99
19        -68.432    1.00   1.91082    35.3       24.88
20        230.161    1.04                         25.25
21         42.634    6.56   1.80810    22.8       26.32
22        -56.261    1.10   1.91082    35.3       26.07
23         88.513    3.03                         25.87
24          ∞     (可変)                         (可変)
25         32.943   10.35   1.49700    81.5       26.47
26        -23.026    1.20   1.95375    32.3       25.82
27        -30.969    0.15                         26.22
28*        98.960    1.00   1.91082    35.3       25.33
29         27.367    6.61   1.49700    81.5       25.38
30       -237.500  (可変)                         26.40
像面        ∞   
【００６５】
非球面データ
第1面
K  = 0.00000e+000  A 4= 1.05511e-005  A 6=-1.34812e-008 
A 8= 1.51801e-011  A10=-1.33722e-014  A12= 2.31446e-017 
A14=-3.34073e-020  A16= 1.98430e-023  
第2面
K  =-1.29483e+000  A 4=-4.12780e-006  A 6=-2.49965e-009 
A 8= 2.59685e-011  A10=-7.24518e-013  A12= 1.60141e-015 
A14= 9.84666e-020  A16=-1.76641e-021  
第3面
K  = 0.00000e+000  A 4=-3.63169e-005  A 6= 1.09443e-007 
A 8=-1.18871e-010  A10= 2.79512e-014  A12= 2.63644e-016 
A14=-1.07534e-018  A16= 1.12436e-021  
第4面
K  = 1.79964e+001  A 4=-1.86865e-005  A 6= 1.26778e-007 
A 8=-7.14057e-011  A10= 7.20068e-014  A12= 9.32407e-017 
A14= 3.38153e-018  A16=-1.35358e-020  
第28面
K  = 0.00000e+000  A 4=-9.73093e-006  A 6= 1.46235e-008 
A 8=-3.32840e-010  A10= 2.33567e-012  A12=-7.93127e-015 
A14= 7.02375e-018  A16= 1.52325e-020  
【００６６】
各種データ
ズーム比     1.87 
広角     中間     望遠
焦点距離      17.02    23.00    31.92  
Fナンバー      2.91     2.91     2.91  
半画角（度）  51.80    43.25    34.13  
像高          21.64    21.64    21.64  
レンズ全長   170.06   165.58   168.60  
BF            38.43    47.52    63.43  
d 8           27.30    12.44     0.19  
d14            2.02     4.15     5.20  
d17            2.17     6.62     8.96  
d24            8.13     2.83    -1.20  
d30           38.43    47.52    63.43  
ea9           24.02    25.47    28.41
ea24          16.88    19.93    26.21
入射瞳位置    19.33    19.55    19.65  
射出瞳位置   -53.79   -37.32   -28.33  
前側主点位置  33.21    36.31    40.46  
後側主点位置  21.41    24.52    31.51  
ズームレンズ群データ
群  始面    焦点距離  レンズ構成長  前側主点位置  後側主点位置
1    1     -24.08        30.60         0.52        -27.58
2    9      49.36        17.91         3.58         -8.11
3   15    -2001.55         8.49       -18.88        -24.58
4   18     -98.13        15.71         6.88         -4.72
5   25      46.34        19.31         3.28         -9.81
【００６７】
［数値データ４］
単位 mm
面データ
面番号       r        d      nd         νd       有効径
1*         ∞       2.80   1.76385    48.5       55.37
2*        19.710   10.07                         42.05
3*         ∞       2.50   1.85135    40.1       38.68
4*        88.425    6.71                         32.73
5        -37.741    1.40   1.59282    68.6       32.69
6        128.108    0.15                         34.75
7         65.662    5.93   1.90366    31.3       35.23
8        -93.148  (可変)                         35.08
9          ∞       1.41                         (可変)
10         65.032    2.81   1.80610    33.3       27.70
11       1201.676    0.15                         27.41
12         73.082    1.25   1.84666    23.8       27.26
13         26.693    6.58   1.57501    41.5       26.91
14       -184.173  (可変)                         27.13
15         58.856    1.25   1.84666    23.8       27.34
16         36.097    5.89   1.51633    64.1       26.92
17        -70.485  (可変)                         26.80
18(絞り)    ∞       2.97                         22.61
19        -58.736    1.00   1.91082    35.3       22.05
20         76.100    1.04                         22.14
21         41.509    6.56   1.80810    22.8       22.75
22        -28.079    1.10   1.91082    35.3       22.56
23         93.470    3.03                         22.46
24          ∞     (可変)                         (可変)
25         42.948    9.75   1.49700    81.5       23.75
26        -18.794    1.20   1.72000    46.0       24.90
27        -29.707    0.15                         26.33
28        130.257    1.00   2.00100    29.1       27.05
29*        32.817    0.30                         27.00
30         30.525    6.89   1.49700    81.5       27.82
31        -73.484  (可変)                         28.58
像面        ∞   
【００６８】
非球面データ
第1面
K  = 0.00000e+000  A 4= 1.10126e-005  A 6=-1.40094e-008 
A 8= 1.61021e-011  A10=-1.22361e-014  A12= 2.22317e-017 
A14=-3.37645e-020  A16= 2.00497e-023  
第2面
K  =-1.28966e+000  A 4=-2.95775e-006  A 6=-6.85919e-009 
A 8= 3.63236e-011  A10=-7.40978e-013  A12= 1.61539e-015 
A14= 8.50993e-020  A16=-1.77576e-021  
第3面
K  = 0.00000e+000  A 4=-3.88305e-005  A 6= 1.11805e-007 
A 8=-1.22559e-010  A10= 4.05087e-014  A12= 2.60440e-016 
A14=-1.10649e-018  A16= 1.16693e-021  
第4面
K  = 8.77138e+000  A 4=-1.80283e-005  A 6= 1.33301e-007 
A 8=-2.52497e-011  A10=-8.78088e-015  A12= 2.86982e-016 
A14= 2.85295e-018  A16=-1.14190e-020  
第29面
K  = 0.00000e+000  A 4= 6.49202e-006  A 6=-1.62852e-008 
A 8= 3.00917e-010  A10=-2.37112e-012  A12= 9.12563e-015 
A14=-1.17136e-017  A16=-8.71700e-021  
【００６９】
各種データ
ズーム比     1.85 
広角     中間     望遠
焦点距離      17.00    24.00    31.44  
Fナンバー      2.91     2.91     2.91  
半画角（度）  51.84    42.04    34.53  
像高          21.64    21.64    21.64  
レンズ全長   170.41   168.15   165.93  
BF            41.86    49.29    59.87  
d 8           28.49    13.30     3.85  
d14            4.84    10.31     3.59  
d17            2.20     8.19    12.95  
d24            9.12     3.16     1.78  
d31           41.86    49.29    59.87  
ea9           21.79    26.78    27.81
ea24          16.80    19.31    22.89
入射瞳位置    19.15    19.98    19.63  
射出瞳位置   -71.45   -44.57   -40.13  
前側主点位置  33.60    37.84    41.19  
後側主点位置  24.86    25.29    28.44  
ズームレンズ群データ
群  始面    焦点距離  レンズ構成長  前側主点位置  後側主点位置
1    1     -23.02        29.56         1.25        -24.82
2    9      62.07        12.19         2.35         -5.71
3   15      80.48         7.14         2.20         -2.45
4   18     -46.07        15.71         5.26         -6.27
5   25      43.92        19.29         5.90         -7.65
【００７０】
［数値データ５］
単位 mm
面データ
面番号       r        d      nd         νd       有効径
1*         ∞       2.80   1.76385    48.5       56.21
2*        19.777   10.06                         42.66
3*         ∞       2.50   1.85135    40.1       40.81
4*        88.982    8.02                         33.56
5        -36.469    1.40   1.59282    68.6       33.38
6        175.507    0.15                         34.64
7         72.176    5.58   1.90366    31.3       35.30
8        -95.327  (可変)                         35.28
9          ∞       1.41                         (可変)
10         99.317    2.66   1.80610    33.3       28.57
11       -213.620    0.15                         28.75
12         51.098    1.25   1.84666    23.8       29.24
13         23.542    6.87   1.57501    41.5       28.54
14        261.531  (可変)                         28.66
15         61.498    1.25   1.84666    23.8       29.69
16         38.482    7.24   1.51633    64.1       29.34
17        -53.624  (可変)                         29.32
18(絞り)    ∞       2.97                         25.18
19        -55.358    1.00   1.91082    35.3       24.69
20         86.924    1.04                         24.88
21         42.754    6.56   1.80810    22.8       25.70
22        -32.152    1.10   1.91082    35.3       25.54
23         91.214    3.03                         25.42
24          ∞     (可変)                         (可変)
25         38.496   10.54   1.49700    81.5       26.01
26        -19.677    1.20   1.71700    47.9       25.65
27        -28.369    0.15                         26.02
28*       117.382    1.00   2.00069    25.5       25.91
29         36.483    7.71   1.43875    94.9       25.99
30       -125.619  (可変)                         27.57
像面        ∞   
【００７１】
非球面データ
第1面
K  = 0.00000e+000  A 4= 1.17247e-005  A 6=-1.46153e-008 
A 8= 1.57360e-011  A10=-1.13405e-014  A12= 2.33570e-017 
A14=-3.47209e-020  A16= 1.89631e-023  
第2面
K  =-1.30245e+000  A 4=-3.87258e-006  A 6=-8.28391e-010 
A 8= 2.56433e-011  A10=-6.97616e-013  A12= 1.57387e-015 
A14= 7.99840e-020  A16=-1.80837e-021  
第3面
K  = 0.00000e+000  A 4=-3.78936e-005  A 6= 1.11722e-007 
A 8=-1.13403e-010  A10= 2.96021e-014  A12= 2.57142e-016 
A14=-1.10586e-018  A16= 1.16586e-021  
第4面
K  = 7.44215e+000  A 4=-1.63976e-005  A 6= 1.39815e-007 
A 8=-6.75359e-011  A10= 4.45889e-014  A12= 4.66579e-016 
A14= 2.82856e-018  A16=-1.10391e-020  
第28面
K  = 0.00000e+000  A 4=-8.42398e-006  A 6= 1.34316e-008 
A 8=-3.09672e-010  A10= 2.25199e-012  A12=-8.21340e-015 
A14= 9.36628e-018  A16= 1.14411e-020  
【００７２】
各種データ
ズーム比     2.06 
広角     中間     望遠
焦点距離      16.51    24.02    33.94  
Fナンバー      2.91     2.91     2.91  
半画角（度）  52.66    42.01    32.52  
像高          21.64    21.64    21.64  
レンズ全長   170.48   166.08   168.29  
BF            37.77    47.86    62.84  
d 8           28.86    11.40     0.66  
d14            5.81    11.32     7.61  
d17            1.96     6.77    11.08  
d24            8.42     1.09    -1.56  
d30           37.77    47.86    62.84  
ea9           23.56    26.63    28.49
ea24          16.45    19.99    25.87
入射瞳位置    19.32    19.88    19.86  
射出瞳位置   -62.09   -36.56   -30.36  
前側主点位置  33.10    37.07    41.44  
後側主点位置  21.27    23.84    28.90  
ズームレンズ群データ
群  始面    焦点距離  レンズ構成長  前側主点位置  後側主点位置
1    1     -22.44        30.51         1.55        -25.52
2    9      66.39        12.34         0.85         -7.11
3   15      68.68         8.49         3.22         -2.37
4   18     -46.49        15.71         5.24         -6.29
5   25      44.55        20.60         4.64         -9.76
【００７３】
［数値データ６］
単位 mm
面データ
面番号       r        d      nd         νd       有効径
1*         ∞       2.80   1.76385    48.5       50.86
2*        20.776    9.98                         39.97
3*         ∞       2.50   1.85135    40.1       37.75
4*        95.858    7.74                         33.00
5        -35.576    1.40   1.49694    68.1       32.97
6        465.905    0.15                         34.78
7         69.107    5.58   1.83989    31.0       35.92
8       -115.715  (可変)                         35.95
9          ∞       1.41                         (可変)
10         99.317    2.66   1.80610    33.3       29.50
11       -213.620    0.15                         29.22
12         51.098    1.25   1.84666    23.8       28.85
13         23.542    6.87   1.57501    41.5       28.10
14        261.531  (可変)                         28.15
15         61.498    1.25   1.84666    23.8       28.69
16         38.482    7.24   1.51633    64.1       28.31
17        -53.624  (可変)                         28.21
18(絞り)    ∞       2.97                         24.04
19        -55.358    1.00   1.91082    35.3       23.44
20         86.924    1.04                         23.53
21         42.754    6.56   1.80810    22.8       24.15
22        -32.152    1.10   1.91082    35.3       23.91
23         91.214    3.03                         23.71
24          ∞     (可変)                         (可変)
25         53.623    9.80   1.43875    94.9       24.20
26        -19.266    1.30   1.68268    56.4       24.04
27        -26.334    0.15                         24.52
28*       143.155    1.20   1.92286    20.9       25.20
29         47.333    8.80   1.43875    94.9       25.49
30        -95.557  (可変)                         27.63
像面        ∞   
【００７４】
非球面データ
第1面
K  = 0.00000e+000  A 4= 1.16709e-005  A 6=-1.44520e-008 
A 8= 1.51307e-011  A10=-9.63676e-015  A12= 2.23385e-017 
A14=-3.38753e-020  A16= 1.88974e-023  
第2面
K  =-1.28010e+000  A 4=-5.02503e-006  A 6=-4.65227e-009 
A 8= 4.23484e-011  A10=-6.85739e-013  A12= 1.60449e-015 
A14= 5.40961e-020  A16=-1.75626e-021  
第3面
K  = 0.00000e+000  A 4=-3.90512e-005  A 6= 1.19632e-007 
A 8=-1.10742e-010  A10= 3.19902e-014  A12= 2.28848e-016 
A14=-1.12286e-018  A16= 1.19239e-021  
第4面
K  = 1.22053e-001  A 4=-1.60810e-005  A 6= 1.40265e-007 
A 8=-3.82127e-011  A10=-2.72459e-014  A12= 3.19545e-016 
A14= 3.45804e-018  A16=-1.34014e-020  
第28面
K  = 0.00000e+000  A 4=-6.93938e-006  A 6= 1.80972e-008 
A 8=-3.39700e-010  A10= 2.49911e-012  A12=-8.92223e-015 
A14= 9.35367e-018  A16= 1.23933e-020  
【００７５】
各種データ
ズーム比     1.69 
広角     中間     望遠
焦点距離      20.98    27.46    35.48  
Fナンバー      2.91     2.91     2.91  
半画角（度）  45.88    38.23    31.37  
像高          21.64    21.64    21.64  
レンズ全長   170.03   165.96   165.65  
BF            40.07    48.54    60.48  
d 8           23.48    10.12     0.82  
d14            8.46     9.87     6.79  
d17            4.49     7.77    10.01  
d24            5.59     1.72    -0.39  
d30           40.07    48.54    60.48  
ea9           30.10    27.27    28.66
ea24          17.07    19.78    24.05
入射瞳位置    20.86    21.07    20.67  
射出瞳位置   -54.32   -41.37   -35.74  
前側主点位置  37.18    40.15    43.07  
後側主点位置  19.09    21.08    25.00  
ズームレンズ群データ
群  始面    焦点距離  レンズ構成長  前側主点位置  後側主点位置
1    1     -25.78        30.15         0.58        -26.86
2    9      66.39        12.34         0.85         -7.11
3   15      68.68         8.49         3.22         -2.37
4   18     -46.49        15.71         5.24         -6.29
5   25      47.28        21.25         6.68         -8.47
【００７６】
［数値データ７］
単位 mm
面データ
面番号       r        d      nd         νd       有効径
1*         ∞       2.80   1.76385    48.5       52.98
2*        22.166    9.83                         42.18
3*         ∞       2.50   1.85135    40.1       39.21
4*       100.886    7.35                         33.80
5        -41.835    1.40   1.60300    65.4       33.72
6        112.268    0.15                         35.33
7         64.009    5.58   2.00330    28.3       36.20
8       -164.286  (可変)                         36.18
9          ∞       1.41                         (可変)
10         91.716    2.66   1.80610    33.3       30.47
11        865.237    0.15                         30.04
12         45.072    1.25   1.84666    23.8       28.86
13         25.487    6.87   1.57501    41.5       27.35
14       -191.849  (可変)                         26.63
15         55.578    1.25   1.84666    23.8       26.61
16         29.746    7.24   1.51633    64.1       26.01
17        -80.822  (可変)                         25.79
18(絞り)    ∞       2.97                         22.43
19        -55.224    1.00   1.91082    35.3       21.91
20         59.211    1.04                         22.07
21         34.335    6.56   1.80810    22.8       22.99
22        179.425    1.10   1.91082    35.3       22.61
23         81.730    3.03                         22.49
24          ∞     (可変)                         (可変)
25        105.004    9.44   1.43875    94.9       22.90
26        -19.291    1.30   1.75500    52.3       22.92
27        -28.273    0.15                         23.57
28*        60.000    2.00   1.92286    20.9       25.62
29         55.000   13.00   1.43875    94.9       25.75
30        -17.258    3.00   1.51633    64.1       26.97
31       -102.112  (可変)                         29.87
像面        ∞   
【００７７】
非球面データ
第1面
K  = 0.00000e+000  A 4= 1.16817e-005  A 6=-1.43251e-008 
A 8= 1.44816e-011  A10=-9.39191e-015  A12= 2.05869e-017 
A14=-3.34552e-020  A16= 2.18195e-023  
第2面
K  =-1.31435e+000  A 4=-3.40902e-006  A 6=-1.12317e-008 
A 8= 4.93258e-011  A10=-6.88609e-013  A12= 1.60042e-015 
A14=-2.81822e-020  A16=-1.74170e-021  
第3面
K  = 0.00000e+000  A 4=-3.86904e-005  A 6= 1.16418e-007 
A 8=-1.11478e-010  A10= 4.22734e-014  A12= 2.05352e-016 
A14=-1.07917e-018  A16= 1.00342e-021  
第4面
K  = 1.50002e+001  A 4=-1.80335e-005  A 6= 1.37672e-007 
A 8=-3.81291e-011  A10=-9.53987e-014  A12= 7.21555e-016 
A14= 3.58810e-018  A16=-1.66580e-020  
第28面
K  = 0.00000e+000  A 4=-3.22411e-006  A 6= 2.26688e-008 
A 8=-3.28429e-010  A10= 2.52367e-012  A12=-9.11026e-015 
A14= 8.35472e-018  A16= 1.98427e-020  
【００７８】
各種データ
ズーム比     1.64 
広角     中間     望遠
焦点距離      21.39    27.28    35.00  
Fナンバー      2.91     2.91     2.91  
半画角（度）  45.32    38.42    31.72  
像高          21.64    21.64    21.64  
レンズ全長   167.68   165.85   167.41  
BF            35.05    42.69    53.66  
d 8           20.19     9.12     0.42  
d14           12.07    10.64     6.04  
d17            1.85     6.24    11.04  
d24            3.46     2.12     1.20  
d31           35.05    42.69    53.66  
ea9           31.11    27.76    29.35
ea24          16.89    19.18    22.72
入射瞳位置    21.42    21.59    21.57  
射出瞳位置   -53.35   -48.92   -46.13  
前側主点位置  37.63    40.75    44.29  
後側主点位置  13.66    15.41    18.66  
ズームレンズ群データ
群  始面    焦点距離  レンズ構成長  前側主点位置  後側主点位置
1    1     -24.67        29.62         1.88        -23.31
2    9      53.30        12.34         2.72         -5.44
3   15      95.82         8.49         2.64         -2.93
4   18     -53.11        15.71         4.62         -6.92
5   25      46.73        28.89         7.02        -12.98
【００７９】
［数値データ８］
単位 mm
面データ
面番号       r        d      nd         νd       有効径
1*         ∞       2.80   1.76385    48.5       56.13
2*        20.313   10.05                         43.41
3*         ∞       2.50   1.85135    40.1       38.83
4*        74.825    6.27                         31.23
5        -44.535    1.40   1.59282    68.6       31.16
6        124.743    0.15                         31.27
7         52.766    5.58   1.90366    31.3       31.56
8       -360.371  (可変)                         31.00
9          ∞       1.41                         (可変)
10        257.267    2.66   1.80610    33.3       25.22
11       -105.710    0.15                         25.04
12         60.695    1.25   1.84666    23.8       24.18
13         23.207    6.87   1.57501    41.5       23.11
14        155.770  (可変)                         23.64
15         56.454    1.25   1.84666    23.8       25.51
16         58.364    7.24   1.51633    64.1       25.43
17        -46.778  (可変)                         25.52
18(絞り)    ∞       2.97                         22.38
19        -47.159    1.00   1.91082    35.3       21.94
20         50.503    1.04                         22.27
21         43.411    6.56   1.80810    22.8       23.15
22        -23.238    1.10   1.91082    35.3       23.29
23       -565.371    3.03                         23.83
24          ∞     (可変)                         (可変)
25         41.734   10.35   1.43875    94.9       24.90
26        -19.669    1.20   1.75500    52.3       24.72
27        -26.854    0.15                         25.31
28*        93.827    1.00   1.84666    23.8       24.20
29         27.409    6.61   1.43875    94.9       24.38
30        -61.215  (可変)                         25.29
像面        ∞   
【００８０】
非球面データ
第1面
K  = 0.00000e+000  A 4= 1.42060e-005  A 6=-1.71059e-008 
A 8= 1.88320e-011  A10=-1.35539e-014  A12= 2.06556e-017 
A14=-3.37911e-020  A16= 2.37332e-023  
第2面
K  =-1.20731e+000  A 4=-5.09262e-006  A 6= 2.48815e-009 
A 8= 2.11790e-011  A10=-7.43852e-013  A12= 1.65688e-015 
A14=-7.59946e-020  A16=-1.44612e-021  
第3面
K  = 0.00000e+000  A 4=-3.88915e-005  A 6= 1.15074e-007 
A 8=-1.14456e-010  A10= 3.21782e-014  A12= 2.35700e-016 
A14=-1.07021e-018  A16= 1.18858e-021  
第4面
K  = 1.61315e+001  A 4=-1.65809e-005  A 6= 1.51118e-007 
A 8=-9.01585e-011  A10= 7.88746e-014  A12= 4.29059e-016 
A14= 5.86406e-018  A16=-1.86063e-020  
第28面
K  = 0.00000e+000  A 4=-6.01965e-006  A 6= 1.92582e-008 
A 8=-3.31651e-010  A10= 2.37923e-012  A12=-8.20335e-015 
A14= 1.10079e-017  A16=-1.89676e-021  
【００８１】
各種データ
ズーム比     1.63 
広角     中間     望遠
焦点距離      16.32    20.05    26.53  
Fナンバー      2.91     2.91     2.91  
半画角（度）  52.97    47.17    39.20  
像高          21.64    21.64    21.64  
レンズ全長   169.56   167.83   170.27  
BF            49.56    54.33    63.46  
d 8           22.06    13.51     4.79  
d14            6.17     6.34     7.38  
d17            0.81     4.63    10.11  
d24            6.37     4.43    -0.07  
d30           49.56    54.33    63.46  
ea9           20.48    20.73    25.44
ea24          19.00    20.63    24.51
入射瞳位置    18.63    18.63    19.14  
射出瞳位置   -62.04   -53.24   -37.86  
前側主点位置  32.57    34.94    38.73  
後側主点位置  33.24    34.28    36.93  
ズームレンズ群データ
群  始面    焦点距離     レンズ構成長  前側主点位置  後側主点位置
1    1     -20.23        28.75         3.01        -20.37
2    9     102.53        12.34        -0.35         -8.22
3   15      50.44         8.49         2.85         -2.77
4   18     -47.38        15.71         2.66         -9.09
5   25      44.42        19.31         6.50         -7.47
【００８２】
［数値データ９］
単位 mm
面データ
面番号       r        d      nd         νd       有効径
1*         ∞       2.80   1.76385    48.5       54.56
2*        19.398   10.23                         40.61
3*         ∞       2.50   1.85135    40.1       38.71
4*       101.569    7.14                         32.68
5        -37.940    1.40   1.59282    68.6       32.52
6         93.317    0.15                         33.78
7         56.502    5.58   1.90366    31.3       34.50
8       -113.403  (可変)                         34.44
9          ∞       1.41                         (可変)
10        230.640    2.66   1.80610    33.3       26.15
11       -126.046    0.15                         26.48
12         57.080    1.25   1.84666    23.8       27.06
13         23.547    6.87   1.57501    41.5       26.69
14       -760.171  (可変)                         27.00
15         54.658    1.25   1.84666    23.8       28.00
16         35.721    7.24   1.51633    64.1       27.67
17        -49.489  (可変)                         27.67
18(絞り)    ∞       2.97                         23.73
19        -63.998    1.00   1.91082    35.3       23.13
20         63.977    1.04                         23.17
21         36.300    6.56   1.80810    22.8       23.94
22        -31.171    1.10   1.91082    35.3       23.69
23         76.492    3.03                         23.42
24          ∞     (可変)                         (可変)
25         34.656   10.35   1.49700    81.5       24.41
26        -19.800    1.20   1.90043    37.4       24.60
27        -27.084    0.15                         25.76
28*       100.163    1.00   1.85026    32.3       25.96
29         24.045    6.61   1.49700    81.5       25.94
30       -277.522  (可変)                         26.73
像面        ∞   
【００８３】
非球面データ
第1面
K  = 0.00000e+000  A 4= 1.02864e-005  A 6=-1.23481e-008 
A 8= 1.63901e-011  A10=-1.47718e-014  A12= 2.33949e-017 
A14=-3.16307e-020  A16= 1.88311e-023  
第2面
K  =-1.15639e+000  A 4=-4.05434e-006  A 6=-1.04371e-008 
A 8= 6.01199e-011  A10=-6.87885e-013  A12= 1.30044e-015 
A14= 2.92975e-019  A16=-1.32732e-021  
第3面
K  = 0.00000e+000  A 4=-3.82447e-005  A 6= 1.12325e-007 
A 8=-1.12358e-010  A10= 3.50509e-014  A12= 2.34790e-016 
A14=-1.06908e-018  A16= 1.19104e-021  
第4面
K  = 1.70847e+001  A 4=-1.85793e-005  A 6= 1.36935e-007 
A 8=-1.46100e-011  A10=-6.73977e-014  A12= 6.54178e-016 
A14= 2.40911e-018  A16=-9.72268e-021  
第28面
K  = 0.00000e+000  A 4=-9.34923e-006  A 6= 1.63306e-008 
A 8=-3.36486e-010  A10= 2.27950e-012  A12=-7.78234e-015 
A14= 6.75797e-018  A16= 1.85032e-020  
【００８４】
各種データ
ズーム比     1.90 
広角     中間     望遠
焦点距離      17.01    24.00    32.25  
Fナンバー      2.91     2.91     2.91  
半画角（度）  51.83    42.03    33.86  
像高          21.64    21.64    21.64  
レンズ全長   168.87   161.87   161.39  
BF            38.09    45.87    58.42  
d 8           25.69    10.20     1.32  
d14            8.02     7.47     3.81  
d17            2.13     7.98    10.59  
d24            9.29     4.69     1.60  
d30           38.09    45.87    58.42  
ea9           24.45    24.54    26.21
ea24          16.55    19.09    23.78
入射瞳位置    19.25    19.32    18.96  
射出瞳位置   -59.93   -42.98   -34.61  
前側主点位置  33.30    36.84    40.03  
後側主点位置  21.08    21.87    26.17  
ズームレンズ群データ
群  始面    焦点距離  レンズ構成長  前側主点位置  後側主点位置
1    1     -22.25        29.80         1.66        -24.22
2    9      71.33        12.34         2.28         -5.81
3   15      61.17         8.49         3.12         -2.49
4   18     -46.26        15.71         5.59         -5.92
5   25      45.20        19.31         3.63         -9.50
【００８５】
【表１】
2018013685.tif 000004
【符号の説明】
【００８６】
Ｌ１    第１レンズ群    Ｌ２    第２レンズ群    Ｌ３    第３レンズ群
Ｌ４    第４レンズ群    Ｌ５    第５レンズ群    ＬＭ    中間群
ＬＲ    最終レンズ群
【図１】
2018013685.tif 000005
【図２】
2018013685.tif 000006
【図３】
2018013685.tif 000007
【図４】
2018013685.tif 000008
【図５】
2018013685.tif 000009
【図６】
2018013685.tif 000010
【図７】
2018013685.tif 000011
【図８】
2018013685.tif 000012
【図９】
2018013685.tif 000013
【図１０】
2018013685.tif 000014
【図１１】
2018013685.tif 000015
【図１２】
2018013685.tif 000016
【図１３】
2018013685.tif 000017
【図１４】
2018013685.tif 000018
【図１５】
2018013685.tif 000019
【図１６】
2018013685.tif 000020
【図１７】
2018013685.tif 000021
【図１８】
2018013685.tif 000022
【図１９】
2018013685.tif 000023
【図２０】
2018013685.tif 000024